(57)【要約】【課題】映像データから物体の動作の変化量を数値化することによって、変化の度合いを算出可能なテレビジョン放送受信機を提供することにある。【解決手段】馬のモーションパターン画像と前記モーションパターン画像に割り当てられた数値とを関連付けて記憶する記憶手段と、競馬番組の映像データにモーションパターン画像が含まれているか否かを判定し、含まれている場合に、モーションパターン画像に割り当てられた数値を抽出し、パラメータに割り当てる判定手段と、異なる２つの時点に於ける前記パラメータに割り当てられた値の差分を取るステップを実行し、所定時間内にステップを繰り返すことによって得られる差分の合計を算出する演算手段と、差分の合計に基づいて、馬のモーションパターンの変化量を表示部に出力する変化量出力手段と、を備えることを特徴とするデジタルテレビジョン放送受信機。【選択図】      図２
2006197309.tif 000002
【特許請求の範囲】
【請求項１】
馬のモーションパターン画像と前記モーションパターン画像に割り当てられた数値とを関連付けて記憶する記憶手段と、
競馬番組の映像データに前記モーションパターン画像が含まれているか否かを判定し、含まれている場合に、前記モーションパターン画像に割り当てられた数値を抽出し、パラメータに割り当てる判定手段と、
異なる２つの時点に於ける前記パラメータに割り当てられた値の差分を取るステップを実行し、所定時間内に前記ステップを繰り返すことによって得られる差分の合計を算出する演算手段と、
前記差分の合計に基づいて、前記馬のモーションパターンの変化量を表示部に出力する変化量出力手段と、を備えることを特徴とするデジタルテレビジョン放送受信機。
【請求項２】
所定の物体のモーションパターン画像と前記モーションパターン画像に割り当てられた数値とを関連付けて記憶する記憶手段と、
放送番組の映像データに前記モーションパターン画像が含まれているか否かを判定し、含まれている場合に、前記モーションパターン画像に割り当てられた数値を抽出し、パラメータに割り当てる判定手段と、
異なる２つの時点に於ける前記パラメータに割り当てられた値の差分を取るステップを実行し、所定時間内に前記ステップを繰り返すことによって得られる差分の合計を算出する演算手段と、を備えることを特徴とするテレビジョン放送受信機。
【請求項３】
前記テレビジョン放送受信機は、前記差分の合計に基づいて、前記所定の物体のモーションパターンの変化量を表示部に出力する変化量出力手段をさらに備えることを特徴とする、請求項２に記載のデジタルテレビジョン放送受信機。
【請求項４】
前記所定の物体は馬であり、前記放送番組は競馬番組であることを特徴とする、請求項２乃至３に記載のテレビジョン放送受信機。
【請求項５】
所定の物体のモーションパターン画像と前記モーションパターン画像に割り当てられた数値とを関連付けて記憶し、
放送番組の映像データに前記モーションパターン画像が含まれているか否かを判定し、含まれている場合に、前記モーションパターン画像に割り当てられた数値を抽出し、パラメータに割り当て、
異なる２つの時点に於ける前記パラメータに割り当てられた値の差分を取るステップを実行し、所定時間内に前記ステップを繰り返すことによって得られる差分の合計を算出することを特徴とする動作変化量抽出方法。
【発明の詳細な説明】
【技術分野】
【０００１】
本発明は、デジタルテレビジョン放送受信機に関し、特に、放送番組の映像データから対象物体を抽出し、該対象物体の動作変化を数値化して、表示部に出力させるデジタルテレビジョン放送受信機に関する。
【背景技術】
【０００２】
近年、デジタル放送、衛星放送による多チャンネル時代の到来に伴う専門チャンネルの増加、競馬ブーム等によって、視聴者がテレビジョン放送に於いて競馬番組を視聴する機会が増加している。一般に、競馬番組の放送では、競走馬の勝率やオッズ等の情報が視聴者に提供され、視聴者は該情報を参考にレースの結果を予測する。また、番組放送中に競走馬の入れ込み具合（興奮状態）が解説されることもあるが、これは解説者が競走馬の映像を見て主観的に意見を述べているに過ぎない。したがって、競走馬の映像から入れ込み具合を客観的な数値に基づいて提供することが出来れば、視聴者がレースを予測する一助となるだけでなく、競馬番組をより楽しく視聴することが出来る。
【０００３】
上述のように、映像データから競走馬の入れ込み具合を数値化するためには、競走馬の動作を追跡し、動作の変化量を計測することが必要となる。映像データに基づいて物体の動作を追跡する方法に関しては、従来から様々な発明が提案されており、例えば特許文献１には、牛の動きを追跡する動作追跡方法について記載されている。この動作追跡方法では、牛の上方に設置された撮像装置によって牛の上面画像を撮影し、時系列画像を用いて牛の動作追跡を行う。また、該追跡方法では、上方からの牛の画像を、頭部、首部、胴部の３つの部分に分割し、各部分の白い模様の輪郭情報を点の情報として、各牛毎に予め登録しておき、該白い部分の動きを追跡することによって、牛の動作を追跡する。また、物体の動作追跡を行うと同時に、動作の識別を行う発明も提案されている。例えば、特許文献２には、ビデオカメラと録画再生装置とデジタル化・圧縮装置（コンピュータ）とを備え、物体の識別、物体の動作追跡、及び、物体の行動識別を行うシステムについて記載されており、具体例として、マウスの動作を追跡し、マウスの動作が予め定義された行動（例えば、摂食、睡眠、身繕い等）の何れの行動に分類されるかを決定するためのシステムについて記載されている。  
【特許文献１】特開２００４−３８３３０号公報（第３−１０頁、第９図）
【特許文献２】特開２００４−５１４９７５号公報（第１１−２８頁、第３−５図）
【発明の開示】
【発明が解決しようとする課題】
【０００４】
上述の通り、特許文献１に記載の動作追跡方法では、牛の動作を追跡することは可能であるが、動作の変化量を計測する方法は扱われていない。また、特許文献２に記載のシステムでは、マウスの行動を識別することは出来るが、マウスの動作から動作の変化量を数値化して変化の度合いを計測する方法は扱われていない。
【０００５】
したがって、本発明の目的は、映像データに基づいて物体の動作の変化量を数値化することによって、動作変化の度合いを算出可能なテレビジョン放送受信機を提供することにある。
【課題を解決するための手段】
【０００６】
第１発明に係るデジタルテレビジョン放送受信機は、馬のモーションパターン画像と前記モーションパターン画像に割り当てられた数値とを関連付けて記憶する記憶手段と、競馬番組の映像データにモーションパターン画像が含まれているか否かを判定し、含まれて
いる場合に、モーションパターン画像に割り当てられた数値を抽出し、パラメータに割り当てる判定手段と、異なる２つの時点に於ける前記パラメータに割り当てられた値の差分を取るステップを実行し、所定時間内にステップを繰り返すことによって得られる差分の合計を算出する演算手段と、差分の合計に基づいて、馬のモーションパターンの変化量を表示部に出力する変化量出力手段と、を備えることを特徴とする。
【０００７】
このデジタルテレビジョン放送受信機によれば、競馬番組に於いて、馬のモーションパターン画像に数値を割り当てているので、馬による動作の変化量を、異なる２つの時点でのモーションパターン画像に割り当てられた数値の差分を取ることによって獲得することが出来る。また、所定時間内に於ける該数値の差分の合計を算出することによって、所定時間内の物体の動作がどの程変化したのかを数値化して客観的に表現することが出来る。
【０００８】
また、このデジタルテレビジョン放送受信機によれば、所定時間内に於ける、馬による２つの異なる時点での動作変化の合計を表示部に出力するので、馬の動作変化を客観的にユーザに解釈させることが可能となる。
【０００９】
第２発明に係るデジタルテレビジョン放送受信機は、所定の物体のモーションパターン画像とモーションパターン画像に割り当てられた数値とを関連付けて記憶する記憶手段と、放送番組の映像データにモーションパターン画像が含まれているか否かを判定し、含まれている場合に、モーションパターン画像に割り当てられた数値を抽出し、パラメータに割り当てる判定手段と、異なる２つの時点に於けるパラメータに割り当てられた値の差分を取るステップを実行し、所定時間内に前記ステップを繰り返すことによって得られる差分の合計を算出する演算手段と、を備えることを特徴とする。
【００１０】
このデジタルテレビジョン放送受信機によれば、所定の物体のモーションパターン画像に数値を割り当てているので、所定の物体による動作の変化量を、異なる２つの時点でのモーションパターン画像に割り当てられた数値の差分を取ることによって獲得することが出来る。また、所定時間内に於ける該数値の差分の合計を算出することによって、所定時間内の物体の動作がどの程変化したのかを数値化して客観的に表現することが出来る。
【００１１】
第３発明に係るデジタルテレビジョン放送受信機は、差分の合計に基づいて、所定の物体のモーションパターンの変化量を表示部に出力する変化量出力手段をさらに備えることを特徴とする。
【００１２】
このデジタルテレビジョン放送受信機によれば、所定時間内に於ける、所定の物体による２つの異なる時点での動作変化の合計を表示部に出力するので、所定の物体の動作変化を客観的にユーザに解釈させることが可能となる。
【００１３】
第４発明に係るデジタルテレビジョン放送受信機は、所定の物体は競走馬であり、放送番組は競馬番組であることを特徴とする。
【００１４】
このデジタルテレビジョン放送受信機によれば、競馬番組に於いて、競走馬の動作変化を数値化することが出来る。また、このデジタルテレビジョン放送受信機によれば、競走馬の動作変化を数値化して表示部に出力するので、視聴者が競走馬の動作変化を客観的に解釈することが可能となる。
【００１５】
第５発明に係る動作変化量算出方法は、所定の物体のモーションパターン画像とモーションパターン画像に割り当てられた数値とを関連付けて記憶し、放送番組の映像データに前記モーションパターン画像が含まれているか否かを判定し、含まれている場合に、モーションパターン画像に割り当てられた数値を抽出し、パラメータに割り当て、異なる２つの時点に於けるパラメータに割り当てられた値の差分を取るステップを実行し、所定時間内にステップを繰り返すことによって得られる差分の合計を算出することを特徴とする。
【００１６】
この動作変化量算出方法によれば、所定の物体のモーションパターン画像に数値を割り当てているので、所定の物体による動作の変化量を、異なる２つの時点でのモーションパ
ターン画像に割り当てられた数値の差分を取ることにより獲得することが出来る。また、所定時間内に於ける該数値の差分の合計を算出することによって、所定時間内の物体の動作がどれ程変化したのかを数値化して客観的に表現することが出来る。
【発明の効果】
【００１７】
本発明によれば、映像データに含まれる物体の動作の変化量を数値化することによって、所定時間内に於ける物体の動作変化の度合いを算出することが出来る。
【発明を実施するための最良の形態】
【００１８】
（１）第１実施形態
[構成]
図１は、本実施形態に係るデジタルテレビジョン放送受信機１の概略構成図である。デジタルテレビジョン放送受信機１は、アンテナ部２、チューナ部３、復調部及び誤り訂正（ＦＥＣ）部４、デマルチプレクサ（ＤＥＭＵＸ）５、デスクランブラ９、音声信号処理部１０、映像信号処理部１１、スピーカ部１２、表示部１３、リモコン１４、赤外線受光部１５、操作部１６、ＯＳＤ処理部１７、画像パターン抽出部１８、タイマカウンタ１９、ＲＯＭ２０、ＲＡＭ２１、制御部２２とを備える。
【００１９】
アンテナ部２は、デジタルテレビジョン放送の放送電波を受信し、電気信号である放送信号に変換する。チューナ部３は、放送信号に所定の処理を施し、復調部及びＦＥＣ部４にこれを出力する。復調部及びＦＥＣ部４は、チューナ部３からの信号に関して復調及び誤り訂正処理を行い、ＤＥＭＵＸ５に出力する。ＤＥＭＵＸ５は、音声データ６、映像データ７、及び番組チャンネルデータ８が多重化されている放送信号から、各データを分離して出力する。デスクランブラ９は、復調された放送信号に付加されている不正視聴防止用のスクランブル信号を解除する。音声信号処理部１０は、ＤＥＭＵＸ６から出力されたデジタル圧縮された音声データ６をデコードし、アナログ信号に変換して、スピーカ１２に出力する。映像信号処理部１１は、ＤＥＭＵＸ６から出力されたデジタル圧縮された映像データ７をデコードして、ＲＢＧ信号に変換し、表示部１３に出力する。
【００２０】
リモコン１４は、複数の入力キーを備えた遠隔操作装置であり、ユーザからの入力を受け付けて、赤外線発光部（図示せず）を介して、デジタルテレビジョン放送受信機１に設置された赤外線受光部１５に信号を出力する。赤外線受光部１５は、リモコン１４からの信号を制御部２２に出力する。操作部１６は、複数の入力キーを備えており、ユーザからの入力を受け付けて、制御部２２に出力する。
【００２１】
ＯＳＤ処理部１７は、制御部２２の制御により、表示部１３にＯＳＤ（On Screen Display）画面を表示させる。画像パターン判定部１８は、映像信号処理部１１からの表示部
１３に出力される映像データを抽出し、制御部２２に出力する。タイマカウンタ１９は、制御部２２の制御によって、所定の時間を計測する。ＲＯＭ２０は、読み出し専用の不揮発性メモリであり、所定のデータが記憶されている。ＲＡＭ２１は、揮発性のメモリであり、制御部２１の制御により所定の情報が記憶される。
【００２２】
制御部２２は、リモコン１４及び操作部１６からのユーザ入力を受け付けるとともに、チューナ部３、デスクランブラ９、ＯＳＤ処理部１７、画像パターン判定部１８、タイマカウンタ１９、ＲＯＭ２０、ＲＡＭ２１を制御する。  
【００２３】
[競走馬の入れ込み具合表示方法]  
図２は、本実施形態に係るデジタルテレビジョン放送受信機１による競馬番組入れ込み具合表示方法に関するフローチャートであり、図４（ａ）乃至（ｂ）は、競走馬の入れ込み具合表示画面の一例である。
【００２４】
図２のステップ１０１に於いて、デジタルテレビジョン放送受信機１内の制御部２２は、放送番組の受信時に、ＤＥＭＵＸ５から情報チャンネルデータ８を取得する。該情報チャンネルデータ８は、電子番組ガイド（ＥＰＧ）に関するデータであり、ＥＰＧの番組コードに基づいて、各番組のジャンル（例えば、競馬・公営競技等）を特定することが出来る。そして、制御部２２は、受信中の放送番組が競馬番組か否かを判定する。受信中の放送番組が競馬番組の場合（Ｓ１０２）、ステップ１０３に移行する。反対に、ステップ１０２に於いて、受信中の放送番組が競馬番組でない場合には、ステップ１０１を繰り返す。
【００２５】
ステップ１０３に於いて、画像パターン抽出部１８が映像信号処理部１１からの映像データに基づいて、所定時間毎の画像を制御部２２に出力する。制御部２２は、ＲＯＭ２０に予め記憶された馬のモーションパターン画像に関するデータを読み出して、画像パターン抽出部１８から出力された画像と比較し、表示部１３に出力される映像データに馬のモーションパターン画像が含まれるか否か（所定の割合以上で映像データに含まれる画像が馬のモーションパターン画像と一致するか否か）を判定する（Ｓ１０３）。この時、表示部１３に出力される映像データから馬の画像を抽出する処理を実行するが、この処理はエッジ強調、ロバスト推定等の方法を用いて実行される。
【００２６】
画像パターン抽出部１８から出力された画像に馬のモーションパターン画像が含まれている場合（Ｓ１０４）、ステップ１０５に移行する。反対に、ステップ１０４に於いて、画像パターン抽出部１８から出力された画像に馬のモーションパターン画像が含まれていない場合には、ステップ１０３に戻る。なお、ＲＯＭ２０に記憶されている馬のモーションパターン画像は、馬の全体像を左右両側から撮像したものであり、画像の夫々に対して数値が割り当てられている。例えば、３つのモーションパターン画像の夫々に、１００、１０１、１０２の数値が割り当てられている場合、１００と１０１を割り当てられたモーションパターン画像の差異は、１００と１０２を割り当てられたモーションパターン画像間の差異よりも小さくなっている。
【００２７】
ステップ１０５に於いて、制御部２２は、画像パターン抽出部１８から出力された画像に含まれる馬の画像と一致するＲＯＭ２０に記憶された馬のモーションパターンに割り当てられている数値を読み出し、変数ｕｍａ１に該数値を割り当てて、ＲＡＭ２１に記憶させ、ステップ１０６に移行する。ステップ１０６に於いて所定時間（例えば０．５秒）経過した場合、ステップ１０７乃至ステップ１０８に於いて、ステップ１０３乃至１０４と同様の処理を実行する。反対に、ステップ１０６に於いて、所定時間が経過していない場合には、ステップ１０６を繰り返す。なお、ステップ１０６に於ける所定時間が短い程、連続して画像パターン抽出部１８から出力される画像の時間間隔が短くなるので、競走馬の動作変化をより詳細に検出することが出来る。
【００２８】
ステップ１０８に於いて、画像パターン抽出部１８から出力される画像にＲＯＭ２０に記憶された馬のモーションパターン画像が含まれる場合、ステップ１０９に於いて、該競走馬の画像が変数ｕｍａ１に数値が割り当てられた画像の競走馬と同一であるか否かが判定される。なお、競走馬の背中には鞍の下に馬番号を記載したゼッケンが付けられるので、既存の画像処理技術を用いて、該ゼッケンの番号を比較することにより、同一馬の画像か否かを判定することが出来る。そして、ステップ１０９に於いて、ｕｍａ１に数値が割り当てられた画像の競走馬と、ステップ１０７乃至１０８で抽出された競走馬の画像が同一であると判定された場合、制御部２２は、ステップ１０７乃至１０８で抽出された競走馬の画像と一致するＲＯＭ２０に記憶された馬のモーションパターン画像に割り当てられた数値を読み出し、該数値を変数ｕｍａ２に割り当てて、ＲＡＭ２１に記憶して（Ｓ１１０）、ステップ１１１に移行する。反対に、ステップ１０９に於いて、ｕｍａ１に数値が割り当てられた画像の競走馬と、ステップ１０７乃至１０８で抽出された画像の競走馬が
同一ではない場合、ステップ１０３に戻る。
【００２９】
ステップ１１１に於いて、制御部２２は、ＲＡＭ２１に記憶された変数ｕｍａ１及び数ｕｍａ２に割り当てられた数値を読み出し、変数ｕｍａ２に割り当てられた数値から変数ｕｍａ１に割り当てられた数値を減算した差分を、変数ｉｒｅｋｏｍｉに割り当てて、ＲＡＭ２１に記憶する。ステップ１１２に於いて、変数ｉｒｅｋｏｍｉに数値が割り当てられていない場合、ステップ１１４に移行する。反対に、ステップ１１２に於いて、既に変数ｉｒｅｋｏｍｉに数値が割り当てられている場合、既存の数値に変数ｉｒｅｋｏｍｉに新たに割り当てた数値を加算して、該数値を変数ｓｕｍに割り当てる（Ｓ１１３）。そして、ステップ１１０に於いて変数ｕｍａ２に割り当てた数値を、変数ｕｍａ１に割り当て、変数ｕｍａ２の値をリセットする。ステップ１１５に於いて、所定時間（例えば１５秒）経過した場合には、ステップ１１６に移行し、所定時間経過していない場合にはステップ１０３に戻る。ステップ１１６において、経過時間がステップ１１５に於ける所定時間よりも長い所定時間（例えば３０秒）経過している場合には、ステップ１１８に移行する。反対に、ステップ１１６に於いて、所定時間（例えば３０秒）以上経過していない場合、つまり、少なくともステップ１１５に於ける所定時間が経過している場合には、ステップ１１７に移行して、制御部２２がＲＡＭ２１から変数ｓｕｍの値を読み出し、ＲＯＭ２０に記憶されたＯＳＤ画面データを読み出して、ＯＳＤ処理部１７を制御することにより、競走馬の入れ込み具合の中間結果を表示部１３に出力し、ステップ１０３に戻る。
【００３０】
ここで、図４（ａ）乃至（ｂ）を参照して、競走馬の入れ込み具合表示画面の一例を説明する。図４（ａ）は、入れ込みの途中経過／最終結果が出力された入れ込み具合表示画面の一例である。表示部１３に出力される画面１００の右上部分に、ＯＳＤ画面１０１が出力される。ＯＳＤ画面１０１は、タイトル（入れ込み具合チェック）と入れ込み具合の結果を示す評価及びコメント部で構成される。なお、評価及びコメント部に出力されるデータは、予めＲＯＭ２０に記憶されているものとする。具体的には、変数ｓｕｍの数値に基づいて複数カテゴリに分け、各カテゴリに対して所定のコメントを割り当てて記憶させる。例えば、変数ｓｕｍの数値が１乃至１００のカテゴリには、「元気ない」というコメントを割り当て、１００乃至２００のカテゴリには「やや元気」というコメントを割り当てる。また、図４（ｂ）は入れ込み具合を計測中である旨を示すＯＳＤ画面１０１を表示部１３に出力される画面１００に出力した一例であるが、図４（ｂ）をステップ１０３の入れ込み具合の計測開始時点から画面１００上に重畳表示して、ステップ１１７又はステップ１１８に於いて、計測結果をＯＳＤ画面に出力する構成としても良い。
【００３１】
ステップ１１６に於いて、所定時間が経過している場合には、制御部２２は、ＲＡＭ２１から変数ｓｕｍの値を読み出し、ＲＯＭ２０からＯＳＤ画面データを読み出して、ＯＳＤ処理部１７を制御することによって、競走馬の入れ込み具合の最終結果を表示部１３に出力させる（Ｓ１１８）。そして、変数ｉｒｅｋｏｍｉ及びｓｕｍの値をリセットする。ステップ１１９に於いて、競馬番組が終了した場合には、競走馬入れ込み具合表示に関する処理を終了する。反対に、競馬番組が終了していない場合には、ステップ１０３に戻る。
【００３２】
[作用効果]
本実施形態に係るデジタルテレビジョン放送受信機１によれば、馬のモーションパターン画像に数値を割り当てているので、馬による動作の変化量を、異なる２つの時点でのモーションパターン画像に割り当てられた数値の差分（変数ｉｒｅｋｏｍｉの値）を算出することによって獲得することが出来る。また、所定時間内（例えば３０秒）に於ける該数値の差分の合計を算出することによって、一瞬ではなく、所定時間内の馬の動作がどの程変化したのかを数値化して客観的に表現することが出来る。
【００３３】
また、本実施形態に係るデジタルテレビジョン放送受信機１によれば、所定時間内（例えば３０秒）に於ける、馬による２つの異なる時点での動作変化の合計（変数ｓｕｍの値）を表示部１７に出力するので、馬の動作変化を客観的にユーザに解釈させることが可能となる。
（２）第２実施形態
[構成]
本実施形態に係るデジタルテレビジョン放送受信機１の概略構成については、前述の第１実施形態に係るデジタルテレビジョン放送受信機１の概略構成図（図１参照）と同一であるので、ここでは説明を省略する。
【００３４】
[競馬番組入れ込み具合表示方法]
図３は本実施形態に係るデジタルテレビジョン放送受信機１による競馬番組入れ込み具合表示方法に関するフローチャートである。
【００３５】
デジタルテレビジョン放送受信機１によって競馬番組が視聴された場合に（Ｓ２０１）、リモコン１４、若しくは、操作部１６に於いて、馬の入れ込み具合表示操作が受け付けられると（Ｓ２０２）、リモコン１４の赤外線発光部（図示せず）を介して赤外線受光部１５に出力された信号、若しくは、操作部１６へのユーザ入力を受け付けて、制御部２３は画像パターン判定部１８を制御して、表示部１３に出力された競馬番組の映像が馬であるか否かを判定させる（Ｓ２０３）。
【００３６】
なお、図３に図示されたステップ２０３乃至２１９は、前述の第１実施形態に係るデジタルテレビジョン放送受信機１による競馬番組入れ込み具合表示方法に関するフローチャート（図２参照）のステップ１０３乃至１１９と同一であるので、ここでは説明を省略する。
【００３７】
[作用効果]
本実施形態に係るデジタルテレビジョン放送受信機１によれば、前述の第１実施形態に係るデジタルテレビジョン放送受信機１と同様の作用効果を有する。
【００３８】
さらに、本実施形態に係るデジタルテレビジョン放送受信機１によれば、リモコン１４若しくは操作部１６へのユーザ入力により、競馬番組で競走馬の入れ込み具合を計測表示するか否かを切換えることが出来るので、ユーザの嗜好を反映させることが可能となる。
【図面の簡単な説明】
【００３９】
【図１】第１実施形態に係るデジタルテレビジョン放送受信機の概略構成図
【図２】第１実施形態に係る競走馬の入れ込み具合表示方法に関するフローチャート
【図３】第２実施形態に係る競走馬の入れ込み具合表示方法に関するフローチャート
【図４】第１実施形態に係る競馬場の入れ込み具合表示画面に関する図
【符号の説明】
【００４０】
１      デジタルテレビジョン放送受信機        
２      アンテナ部  
３      チューナ部      
４      復調部及び誤り訂正部    
５      デマルチプレクサ  
６      音声データ    
７      映像データ
８      情報チャンネルデータ  
９      デスクランブラ
１０    音声信号処理部  
１１    映像信号処理部
１２    スピーカ部  
１３    表示部    
１４    リモコン
１５    赤外線受光部
１６    操作部  
１７    ＯＳＤ処理部
１８    画像パターン抽出部
１９    タイマカウンタ
２０    ＲＯＭ
２１    ＲＡＭ
２２    制御部
１００  画面
１０１  ＯＳＤ画面
【図１】
2006197309.tif 000003
【図２】
2006197309.tif 000004
【図３】
2006197309.tif 000005
【図４】
2006197309.tif 000006